(57)【要約】      （修正有）【課題】男性用下着のみを着用している場合だけでなく、ズボンをはいた状態においても尿意を催してから迅速に排尿できる体勢にすることができる男性用下着を提供する。特に高齢者または怪我などにより身体に不具合を抱える者であっても、容易に排尿する体勢にすることができる男性用下着を提供する。男性用下着に股引等の下着を重ね着した場合であっても排尿を容易にすることができる男性用下着を提供する。【解決手段】前身頃１１及び後ろ身頃１２からなる本体１３と該本体上部には胴部開口部１５を有し、該本体下部には左右それぞれに脚部開口部１４を有し、前記前身頃は、前身頃左部１１ａと前身頃右部１１ｂとそれらのほぼ中央において前立て部外片１７と前立て部内片１８を重ね合わせた前立て部１６を設けた男性用下着１０であって、前記前立て部外片と前記前立て部内片の双方に操作具２０を有することを特徴とする男性用下着である。【選択図】図１
2011174191.tif 000002
【特許請求の範囲】
【請求項１】
本発明は前身頃及び後ろ身頃からなる本体と該本体上部には胴部開口部を有し、該本体下部には左右それぞれに脚部開口部を有し、前記前身頃は、前身頃左部と前身頃右部とそれらのほぼ中央において前立て部外片と前立て部内片を重ね合わせた前立て部を設けた男性用下着であって、前記前立て部外片と前記前立て部内片の双方に操作具を有することを特徴とする男性用下着。
【請求項２】
前記前立て部外片と前記前立て部内片の双方に有する操作具を一体としたことを特徴とする請求項１記載の男性用下着。
【請求項３】
前記操作具は帯状とすることを特徴とする請求項２記載の男性用下着。
【請求項４】
前記操作具は前立て部外部片と前記前立て部内片における縁部とを接続したことを特徴とする請求項２または３記載の男性用下着。
【発明の詳細な説明】
【技術分野】
【０００１】
本発明は、排尿時に男性用下着から男性器の取り出しを容易にする男性用下着に関するものである。
【背景技術】
【０００２】
従来の男性用下着は、前身頃及び後ろ身頃見からなる本体と該本体上部には胴部開口部を有し、該本体下部には左右それぞれに脚部開口部を有し、前記前身頃のほぼ中央に前立て部が配置され、その前立て部には前立て部外片と前立て部内片が重ね合わされている。
【０００３】
このように、前記前身頃のほぼ中央に配置されている前立て部は前立て部外片と前立て部内片からなる２重構造であり、排尿時ではなく着用時には、前立て部外片と前立て部内片が重なり合う部分において男性器は保持されており外部に露出されない構成となっている。
【０００４】
一方で、前記前立て部外片の縁部は、前立て部内片とは縫着されていないため、前記前立て部外片の縁部を外部方向に開き該前立て部外片の縁部と前立て部内片の間に隙間を形成し、更に、前記前立て部内片の縁部を外部方向に開くことにより前記隙間と男性用下着内部がつながり男性用下着内部と外部が連通することができる構成となっている。
【０００５】
従って、着用者は、男性用下着における前立て部外片の縁部と前立て部内片の間に生じた隙間に手を差し入れ、更に前記前立て部内片の縁部を外部方向に開くことにより男性用下着内部に手を差し入れ、男性用下着内部から男性器を取り出し外部に露出させ排尿することができる。
【０００６】
ここで、通常は男性用下着のみを身につけているのではなく、その上からズボンを履いているので、排尿時には、そのズボンの正面に配置されているファスナーなどの開閉可能な開口部から手を差し入れ、男性用下着における前立て部外片の縁部を探し、上記一連の行動をしなければならない
【０００７】
しかしながら、たとえば寒冷時においては着用者の手が悴むために、尿意を催した着用者が迅速に排尿することはできない。すなわち、ズボン等をはいた状態において、男性用下着における前立て部外片の縁部を探し出し、その後に前立て部外片の縁部と前立て部内片の間に生じた隙間に手を差し入れ、更に前立て部内片の縁部を探し出し前記前立て部内片の縁部を外部方向に開くことにより男性用下着内部から男性器を取り出し外部に露出させ排尿させるという行動を迅速にすることは困難である。また特に高齢者であれば、尿意を催してから、排尿するまでの時間が短く、前記一連の行動が遅れ排尿に失敗し下着を汚してしまうことがある。特に急な尿意を催すといった症状をおこす「過活動ぼうこう」の患者であればなおさらである。
【０００８】
特開２００３−３３６１０１号公報に記載されている発明によれば、男性用下着の前部中央にスリットを形成し、このスリットを覆うために男性用下着の裏面側に略矩形状の合わせ布を配設し、この合わせ布の上端及び下端をそれぞれ男性用下着の内面に縫い合わせたことを特徴とする男性用下着が開示されている。この発明によれば、男性用下着において通常は向かって左側に位置する隙間を、当該下着のほぼ中央部にスリットを配置することで、当該スリットに着用者の手を差し入れた後に、合わせ布の左右の端部のうちいずれかを探し出しその端部からさらに手を差し入れ、男性器を外部に露出させ排尿させなくてはならない。すなわち、合わせ布において右の端部を経由するか左の端部を経由するかの違いでしかなく、左手を使う場合は便利であるが、男性器が通過する男性用下着における個所が、この特開２００３−３３６１０１号に係る発明における下着の合わせ布を通過し更にスリットを通過する点において従来のブリーフなどの男性用下着との相違は少なく、迅速に排尿することは困難である。
【０００９】
【特許文献１】特開２００３−３３６１０１号公報
【発明の開示】
【発明が解決しようとする課題】
【００１０】
本発明は前記の点に着目してなされたもので、本願発明が解決しようとする課題は、男性用下着のみを着用している場合だけでなく、ズボンを履いた状態においても尿意を催してから迅速に排尿できる体勢にすることができる男性用下着を提供することである。また他の課題は特に高齢者または怪我などにより身体に不具合を抱える者であっても、容易に排尿する体勢にすることができる男性用下着を提供することである。また他の課題は、従来の男性用下着に極力変更を加えることのないようにすることである。他の課題は、男性用下着に対する違和感が生じないようにすることである。
【課題を解決するための手段】
【００１１】
前記の課題を解決するため、本発明は前身頃及び後ろ身頃からなる本体と該本体上部には胴部開口部を有し、該本体下部には左右それぞれに脚部開口部を有し、前記前身頃は、前身頃左部と前身頃右部とそれらのほぼ中央において前立て部外片と前立て部内片を重ね合わせた前立て部を設けた男性用下着であって、前記前立て部外片と前記前立て部内片の双方に操作具を有するという手段を講じたものである。
【００１２】
本発明の男性用下着において着用者が前立て部外片と前記前立て部内片の双方に有する操作具を、それぞれ前立て部外片に有する操作具を正面視右方に引っ張り、前立て部内片を正面視左方に引っ張ることで、男性用下着の内部と外部を連通する開口が形成され、迅速に排尿することができ、下着を汚すことはない。本発明の場合、着用者があらかじめ、前立て部外片と前記前立て部内片の双方に有する操作具をそれぞれ男性用下着の外部に出すことにより迅速に着用者がその操作具を掴むことができる。
【００１３】
本発明の男性用下着において、前記前立て部外片と前記前立て部内片の双方に有する操作具を一体とし、当該操作具に両方の手を差し入れ、そのうちの一方の手が前立て部外片に作用し、正面視右方に引っ張られると同時に、他方の手が前立て部内片に作用し、正面視左方に引っ張られることになり、男性用下着の内部と外部を連通する開口が形成され、迅速に排尿することができ下着を汚すことはない。また、当該操作具は一体となっているがここで一体とは、前立て部外片と前記前立て部内片の双方に有する操作具が、つながっていることをいう。また当該操作具はループ状を呈しているので、着用者が慣れれば、そのループ状の内側に、いずれか一方の手の指を差し入れ、その差し入れた指を開けば、上記の通り、開口が形成され、迅速に排尿することができる。尚、本発明の男性用下着の上からズボンをはいた状態にあっては、本発明における男性用下着において前立て部外片と前記前立て部内片とを接続した操作具を探し出した後に上記記載の通りにすればよい。
【００１４】
本発明の男性用下着における操作具は帯状とするという手段を講じたものである。すなわち操作具を男性用下着類に配置するものであるが、操作具を帯状とすれば、操作具と前立て部外片及び前立て部内片における接続箇所に作用する引きつける力が、点ではなく線状（帯状の幅）に作用するためにより確実に開口を形成することができる。また帯状の幅は、排尿時に障害にならないように、２センチメートルから３センチメートルの幅が好ましい。また、帯状を布類とすることも好ましい。着用者に違和感を与えないようにするためである。ここで布類とは、天然繊維、化学繊維類を含むものである。
【００１５】
前記の課題を解決するため、本発明は前記前立て部外片と前記前立て部内片における縁部とを接続した操作具を有するという手段を講じたものである。操作具を前記前立て部内片における縁部と接続することにより前記前立て部内片の内部（すなわち着用者と直接触れる部分）に操作具を配置することがないので着用者に違和感がなく従来と変わらず快適な装着が得られる。本願発明は男性用下着類に適用することができ、前身頃のほぼ中央部に前立て部が配置され、前立て部外片と前立て部内片が重ね合わされているもの、例えばブリーフ、ボクサーパンツばかりでなく股引、タイツ、レギンスなどに操作具を配置することも好ましい。
【発明の効果】
【００１６】
本発明は、以上の如く構成されるため、男性用下着のみを着用している場合だけでなく、ズボンをはいた状態においても尿意を催してから迅速に排尿できる体勢にすることができる。特に高齢者または怪我などにより身体に不具合を抱える者に好適な男性用下着を提供することができる。また、従来の男性用下着に極力変更を加えることないので、製造コストがいたずらに高額となることがなくさらに快適な装着感が得られる。また男性用下着において股引等の下着を重ね着した場合であっても排尿を容易にすることができる男性用下着を提供することができる。
【発明を実施するための最良の形態】
【００１７】
以下図示の実施形態を参照して本発明をより詳細に説明する。図１は、本発明に係る男性用下着の正面図である。図２は、本発明に係る男性用下着の開口途中の正面図である。図３は、本発明に係る男性用下着の開口時の正面図である。図４は、前立て部の端面図であり、Ａは、図１における前たて部の端面図であり、Ｂは図２における前たて部の端面図であり、Ｃは、図３における前縦部の端面図である。図５は本発明に係る男性用下着の上に股引を着用した場合における開口時の正面図である。
【００１８】
男性用下着１０は前身頃１１及び後ろ身頃１２からなる本体１３と該本体上部１３には胴部開口部１５を有し、該本体下部には左右それぞれに脚部開口部１４、１４を有し、前記前身頃１１は、身頃左部１１ａと身頃右部１１ｂとそれらのほぼ中央部に前立て部外片１７と前立て部内片１８を重ね合わせた前立て部１６を有するものである。
【００１９】
前記前立て部外片１７と前立て部内片１８に有している操作具２０は一体となるように配置されており、その操作具２０は、前立て部外片１７と前立て部内片１８とつなげられたループ状部２０ａを有している。また、その操作具２０の一部は前立て部外片１７の外部に出ている。操作具２０は布類で構成されており着用者の肌に触れても違和感の少ないものである。しかしながらより好ましくは、着用者が快適に装着するために操作具２０を前立て部内片１８における縁部１８ａと縫着することにより前立て部内片１８の内側（着用者側）には操作具２０が配置されることがないので異物感がなく、快適に装着することができる。尚、その場合、操作具２０の端部２０ｂを前立て部内片１８における縁部１８ａと縫着してもよい。また、操作具２０の端部２０ｃを前立て部外片１７における縁部１７ａと縫着してもよい。
【００２０】
上記における男性用下着１０を装着して排尿する場合は着用者の左右の手をそれぞれ操作具２０に掛け、それを、それぞれ左右に開くことにより、操作具２０に縫着された前立て部内片１８が、正面視左側に引っ張られ、それとほぼ同時に前立て部外片１７が正面視右側に引っ張られることにより男性用下着１０の内部と外部とが連通する開口３０を形成することができ、この開口３０から男性器を外部に露出することができるので排尿することができる。
【００２１】
本願発明の男性用下着１０はすでに述べたとおり通常両手で開口操作をするものであるが、慣れるに従い、片手を操作具２０で形成されるループ状部２０ａに掛け、指を開くにつれて該ループ状部２０ａが広がり、前立て部内片１８が正面視左側に引っ張られると同時に前立て部外片１７が正面視右側に引っ張られ瞬時にして男性用下着１０の内部と外部とを連通する開口３０が形成され、開口３０から男性器を外部に露出することができ排尿することができる。尚、通常は当該男性用下着１０を履いた上にズボン類を履くことになる。この場合も、ズボンの前側に配置されている開口部から、上記操作具２０を取り出したのちに、上記と同様の操作をすれば容易に開口を形成することができ、男性器を外部に露出し排尿することができる（図示せず）。尚、前立て部が図３に示したように正面視左右に拡がる構成のみならず上下方向に拡がるものにも応用できる（図示せず）。
【００２２】
また、本願発明を適用した男性用下着１０′の上に、股引や、スキータイツ類などを履いた（男性用下着に股引類を重ね着した）場合には、次のように使用することができる。すなわち、前身頃のほぼ中央部において前立て部外片と前立て部内片を有する前立て部が配置されている股引やスキータイツ類を、本発明を適用した男性用下着１０′の上から履く場合は、股引５０や、スキータイツ類における前立て部外片５７と前立て部内片５８の間から、男性用下着１０′における操作具２０′の一部を、予め自ら取り出して配置する。この場合、男性用下着単独で（重ね着をしないで）履く場合よりも操作具２０′を股引５０や、スキータイツ類における前立て部外片５７と前立て部内片５８の間から、男性用下着１０′における操作具２０′の一部を、外部に出すことができる長さに構成する。尚、男性用下着１０と同１０′は操作具２０′の長さ以外は同様である。
【００２３】
本発明の男性用下着類の上から股引等をはいた（重ね着をした）ときに排尿する場合は、重ね着した股引５０から出された男性用下着１０′における操作具２０′で形成されるループ状部２０ａ′に両手または片手を掛け、該ループ状部２０ａ′を左右に開くことで、男性用下着１０′における操作具２０′が前立て部内片１８または操作具２０′の端部２０ｂ′がその縁部１８ａを正面視左側に引っ張ると同時に、操作具２０′が前立て部外片１７またはその操作具２０′の端部２０ｃ′が縁部１７ａを正面視右側に引っ張り、それと同時に該ループ状部２０ａ′によって、股引５０における前立て部内片５８が正面視左側に引っ張られると同時に股引５０における前立て部外片５７が正面視右側に引っ張られ、男性用下着１０の内部と外部とを連通する開口３０を形成することができると同時に、股引５０等における外部と前記開口３０が連通し男性器を外部に露出することができることにより排尿することができる。この場合において男性用下着１０に操作具２０′を配置しているため、股引５０には操作具を配置しなくてもよい。尚、操作具２０′は重ね着した股引５０の外部に配置させるために、重ね着しない場合における操作具２０よりも長く形成されるが、操作具２０に紐類を接続しその紐類を引っ張ることで、操作具２０を取り出すこともできる（図示せず）。又、外出時等、通常は当該男性用下着を履き、さらに股引等を履いた上にさらにズボン類を履くことになる。この場合も、ズボンの前側に配置されている開口部から、上記操作具２０′を取り出したのちに、上記と同様の操作をすれば容易に開口を形成することができる。（図示せず）。
【図面の簡単な説明】
【００２４】
【図１】男性用下着の正面図。
【図２】男性用下着の開口途中の正面図。
【図３】男性用下着の開口時の正面図。
【図４】Ａは、図１における前立て部の端面図。Ｂは、図２における前立て部の端面図。Ｃは、図３における前立て部の端面図。
【図５】男性用下着の上に股引を着用した場合における開口時の正面図。
【符号の説明】
【００２５】
１０    男性用下着
１１    前身頃
１２    後ろ身頃
１３    本体
１４    脚部開口部
１５    胴部開口部
１６    前立て部
１７    前立て部外片
１８    前立て部内片
１８ａ  前立て部内片における縁部
２０    操作具
【図１】
2011174191.tif 000003
【図２】
2011174191.tif 000004
【図３】
2011174191.tif 000005
【図４】
2011174191.tif 000006
【図５】
2011174191.tif 000007